(57)【要約】【課題】引き出しをケース本体から抜き出すことを禁止でき、施錠された状態であっても、引き出し内に伝票類を収納することができる収納ケースを提供すること。【解決手段】前端に開口１３を備えたケース本体１１と、当該ケース本体１１に出し入れ可能な引き出し１２を備えて収納ケース１０が構成されている。引き出し１２は、施錠可能に設けられているとともに、引き出し１２の底面部後方に設けられた舌片３５がガイド２３の前端部に設けられたストッパ２５に係り合うことで抜き出しが禁止される。また、引き出し１２の前板３３の上部には、施錠時における書類挿入を可能とする隙間Ｓが形成されている。【選択図】図２
2007136032.tif 000002
【特許請求の範囲】
【請求項１】
前端を出し入れ口として開口するケース本体と、このケース本体内に位置するとともに前記開口に対して出し入れ可能に設けられた少なくとも一個の引き出しとを備え、
前記引き出しは施錠可能に設けられているとともに、非施錠時で前記ケース本体から抜き出しが禁止されていることを特徴とする収納ケース。
【請求項２】
前記ケース本体の内側に第１の部材が設けられる一方、前記引き出しに第２の部材が設けられ、これら第１及び第２の部材の相互係り合いで前記ケース本体から引き出しの抜き出しが禁止されていることを特徴とする請求項１記載の収納ケース。
【請求項３】
前記引き出しは複数設けられ、各引き出しの前板の上部又は面内には、書類等の差し込みを許容する隙間が形成されていることを特徴とする請求項１又は２記載の収納ケース。
【請求項４】
前端を出し入れ口として開口するケース本体と、このケース本体内に位置するとともに前記開口に対して出し入れ可能に設けられた少なくとも一個の引き出しとを備え、
前記引き出しは施錠可能に設けられているとともに、引き出しの前板上部又は面内には、書類等の差し込みを許容する隙間が形成されていることを特徴とする収納ケース。
【発明の詳細な説明】
【技術分野】
【０００１】
本発明は収納ケースに係り、更に詳しくは、個々の引き出しを施錠した状態に保つことができるとともに、非施錠時でも引き出しの抜き出しを禁止でき、更に、開錠することなく書類等を収納することのできる収納ケースに関する。
【背景技術】
【０００２】
従来より、大規模店舗等の商品売り場には、各種伝票等の書類を収納するための引き出しを備えた収納ケースが利用されている。引き出しに収納された書類は売り上げ伝票等、個人情報等を含む場合が多いため、第三者による持ち出しを禁止して秘密性を担保する必要がある。
【０００３】
また、大規模店舗等では、メーカー各社の販売員が出向して自社製品を直接販売する、という形式も採用されている。この場合、一つの店舗内に、メーカー各社の販売員が混在することなるため、販売員が自社製品の売り上げ伝票等を個別的に管理する必要がある。そこで、店舗内に、複数段の引き出しを備えた収納ケースを配置し、各引き出しをメーカー毎に割り当てて利用させる、という形式が採用される。この場合においても、自社割り当て分の引き出しに収納された伝票類を他社メーカー社員に対して秘密に保つ必要がある。
【０００４】
そこで、引き出し内における書類の記載事項の秘密性を担保するために、引き出しを施錠可能に設けた収納ケースが知られている（例えば、特許文献１参照）。
【０００５】
【特許文献１】特開２００４−１７６５０１号公報
【発明の開示】
【発明が解決しようとする課題】
【０００６】
特許文献１は、複数の引き出しがそれぞれ施錠できるものであるが、ケース本体から引き出しを抜き出すことを禁止できるものではなく、従って、施錠を忘れてしまった場合のセキュリティ対策は十分なものとはいえない。また、引き出し内に書類を出し入れする場合には、施錠を解除しなければならず、従って、例えば、商品売り場等において、伝票類を取り出すときに、施錠を解除して引き出しから伝票類を取り出し、収納ケースから離れた場所で伝票類に所要の記入を場合には、再び施錠しておくことが必要となる。そして、記入済みの伝票類を引き出しに収納するときに、再び施錠解除と施錠が要求されるという非常に煩雑な作業が要求される、という不都合がある。
【０００７】
［発明の目的］
本発明は、このような不都合に着目して案出されたものであり、その目的は、引き出しをケース本体から抜き出すことを禁止できるとともに、引き出しが施錠された状態であっても、引き出し内に伝票類を収納することができ、施錠、開錠の作業回数を少なくして取り扱いの簡便性を備えた収納ケースを提供することにある。
【課題を解決するための手段】
【０００８】
前記目的を達成するため、本発明は、前端を出し入れ口として開口するケース本体と、このケース本体内に位置するとともに前記開口に対して出し入れ可能に設けられた少なくとも一個の引き出しとを備え、
前記引き出しは施錠可能に設けられているとともに、非施錠時で前記ケース本体から抜き出しが禁止される、という構成を採っている。
【０００９】
本発明において、前記ケース本体の内側に第１の部材が設けられる一方、前記引き出しに第２の部材が設けられ、これら第１及び第２の部材の相互係り合いで前記ケース本体から引き出しの抜き出しが禁止される、という構成を採ることが好ましい。
【００１０】
また、前記引き出しは複数設けられ、各引き出しの前板の上部又は面内には、書類等の差し込みを許容する隙間が形成される、という構成を採るとよい。
【００１１】
更に、本発明は、前端を出し入れ口として開口するケース本体と、このケース本体内に位置するとともに前記開口に対して出し入れ可能に設けられた少なくとも一個の引き出しとを備え、
前記引き出しは施錠可能に設けられているとともに、引き出しの前板上部又は面内には、書類等の差し込みを許容する隙間が形成される、という構成を採っている。
【発明の効果】
【００１２】
本発明によれば、引き出しがケース本体から抜き出しを禁止される構成であるため、引き出し自体の持ち去りを禁止することができる。
また、引き出しの抜き出しを禁止する構成がケース本体と引き出しのとの相互係り合いであるため、構成を複雑にすることも回避することが可能となる。
しかも、各引き出しの前板上部に隙間が形成されているため、引き出しを施錠状態に保ったままでも伝票等の書類収納を行うことが可能となり、施錠、開錠の回数を減らすことができる。
【発明を実施するための最良の形態】
【００１３】
以下、本発明の好ましい実施形態を図面を参照しながら説明する。
【００１４】
図１には、本実施形態に係る収納ケースの概略斜視図が示され、図２には、その正面図が示されている。これらの図において、収納ケース１０は、特に限定されるものではないが、鋼板等の金属板を素材として形成されたケース本体１１と、当該ケース本体１１内に位置するとともに、ケース本体１１と同様の素材により形成された引き出し１２とを備えて構成されている。前記ケース本体１１は、前端を引き出し１２の出し入れ口とする略方形の開口１３が形成された略直方体形状に設けられているとともに、左右一対の側壁１４，１４の内側には、引き出し１２を支持して前後方向に案内する左右一対の内側板１５を備えて構成されている。
【００１５】
前記内側板１５は、本実施形態では、合成樹脂材料によって一体的に形成された樹脂成形品により構成されている。この内側板１５は、図３及び図４に示されるように、前記側壁１４と略平行に位置する側板本体２０と、この側板本体２０の外面側に設けられて側壁１４とのスペースを規制する複数の突状部２１と、側板本体２０の内面側に設けられるとともに前記引き出し１２を前後方向に移動可能に支持するガイド２３とにより構成されている。ガイド２３は、側板本体２０の面に対して略直交する方向に突出するとともに、側板本体２０の前後方向に沿って延びる細長い片状に設けられており、側板本体２０の上下方向に沿う所定間隔毎に配置されて各ガイド２３間に引き出し１２が出し入れ可能に配置されるようになっている。このガイド２３の前端部には、側板本体２０からの突出長さが部分的に大きく設けられて前記引き出し１２の抜き出しを禁止する第１の部材としてのストッパ２５が形成されている一方、ガイド２３の後端部にも同様の大きさを備えた拡大片状部２６が形成されている（図５及び図６参照）。また、右側の側板本体２０の前部には、上下方向に延びるスロット穴２７がガイド２３間に各一つずつ形成されている。
【００１６】
前記引き出し１２は、図７に示されるように、平面視略方形の底面部３０と、この底面部３０の左右両側に位置する一対の側面部３１，３１と、これら底面部３０，側面部３１の前後両端に位置する前板３３及び後板３４とからなり、上部を開放したトレー状に形成されている。底面部３０には、その後部側左右二箇所を下向きに切り起こすことによって形成された第２の部材としての舌片３５，３５が形成されている。これら舌片３５は、図７（Ｂ）に示されるように、先端３５Ａの位置が底面部３０の面に対して下方にシフトした傾斜角度に設けられており、引き出し１２をケース本体１１から抜き出す方向に移動させたときに、前記ストッパ２５の後端縁に係り合って引き出し１２の抜き出しを禁止するようになっている。
【００１７】
引き出し１２の前板３３は、正面視横長の略長方形をなし、その高さはＨ１は、側面部３１の高さＨ２よりも小さく設定され、これにより、前板３３の上部に書類等の差し込みを許容する隙間Ｓ（図２参照）が形成されるようになっている。なお、側面部３１の高さＨ２は、前述したガイド２３の上下方向間隔に対して僅かに小さい程度に設定され、これにより、引き出し１２がケース本体１１内で上下方向にがたつくことがなく、且つ、前記舌片３５がストッパ２５を前方に乗り越えて引き出し１２の抜き出しを許容することがない程度に設けられている。また、前板３３の略中央部には把手４０が形成されているとともに、右端側には、キー差し込み部４１が形成されている。キー差し込み部４１に対応する前板３３の内面側には、図示しないキーを差し込んで回転させることで、同時に回転可能に設けられたロック片４３が設けられている。このロック片４３は、略９０度回転したときに、引き出し１２の右側に位置する側面部３１の割溝４５（図７（Ａ）参照）を横切る方向に突出するとともに、前記側板本体２０に形成されたスロット穴２７に引っ掛かって引き出し１２を施錠状態に保つようになっている。
【００１８】
次に、本実施形態に係る収納ケース１０の使用方法について説明する。なお、収納ケース１０は、引き出し１２をケース本体１１に強制的に押し込むことで、前記舌片３５が面位置を一時的に上昇してストッパ２５を強制的に乗り越えることで完成される。
【００１９】
各引き出し１２がケース本体１１内に位置して個々に施錠された状態、すなわち、キー操作によりロック片４３が前記割溝４５を横切って側板本体２０のスロット穴２７に引っ掛けられた状態では、引き出し１２の出し入れは禁止される。しかしながら、この場合でも、引き出し１２の前板３３の上部には、隙間Ｓが存在するため、当該隙間Ｓを通じて外部より書類を差し込むことが許容される。この隙間Ｓは、指先の挿入を許容することができない程度の寸法設定であり、従って、施錠状態で内部の書類を摘み出すことはできないものとなっている。
【００２０】
引き出し１２は、キー操作により施錠を解除することによって前記開口１１を通じてケース本体１１に出し入れ可能となる。この場合、引き出し１２は、前記舌片３５がストッパ２５の後端縁に突き当たる位置まで引き出し得るが、これより前方への引き出しは禁止される。ここで、引き出し１２の側面部３１の高さＨ２は、各ガイド２３間の間隔に対して僅かに小さい寸法設定であるため、引き出し１２を上方に持ち上げるようにしても、舌片３５がストッパ２５の平面高さ位置を上方に乗り上げることはなく、これにより、引き出し１２の抜き出しが禁止されることとなる。
【００２１】
従って、このような実施形態によれば、引き出し１２の持ち去りを禁止することができるとともに、施錠したまま書類を引き出し１２内に収納することができる、という効果を得る。更に、一の引き出し１２の持ち去りを禁止する構成となる上下複数の引き出し１２を備えた収納ケース１０においては、各引き出し１２毎に複数の使用人の割り当てが可能であるとともに、一の引き出しを抜いて当該一の引き出しの直下の他人が管理する施錠状態の引き出しの収納物を持ち去る行為を防ぐことも可能となる。
【００２２】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、その他の詳細な構成において、当業者が様々な変形を加えることができるものである。
従って、上記に開示した形状、位置などを限定した記載は、本発明の理解を容易にするために例示的に記載したものであり、本発明を限定するものではないから、それらの形状などの限定の一部若しくは全部の限定を外した物品の名称での記載は、本発明に含まれるものである。
【００２３】
例えば、引き出し１２の抜き出しを禁止する構成は、前記ストッパ２５と舌片３５による構成に限定されるものではない。すなわち、引き出し１２の側面部と、側板本体２０との間に相互に係り合う構成を採用すること等が例示できる。また、ガイド２３を備えた内側板１５は、ケース本体１１の側壁形状を変更することで省略することができる。
【００２４】
また、施錠状態における書類等の収納を可能とする構成も前記実施形態に限定されるものではない。例えば、前板３３の高さＨ１を側面部３１の高さＨ２と同一としても、前板３３の面内に横方向に延びるスロット穴を形成すれば、実質的に同一の作用、効果を奏することができる。
【００２５】
更に、前記実施形態では、引き出し１２が複数の場合を示したが、当該引き出しは、一個の場合でも適用することができる。
【図面の簡単な説明】
【００２６】
【図１】本実施形態に係る収納ケースの概略斜視図。
【図２】前記収納ケースの正面図。
【図３】ケース本体の概略斜視図。
【図４】図３のＡ−Ａ線に沿う拡大断面図。
【図５】図３のＢ−Ｂ線に沿う拡大断面図。
【図６】ケース本体の一部を破断した状態を示す概略斜視図。
【図７】（Ａ）は引き出しの概略斜視図、（Ｂ）は、（Ａ）のＣ−Ｃ線に沿う矢視拡大断面図、（Ｃ）は、（Ａ）のＤ−Ｄ線に沿う矢視拡大断面図。
【符号の説明】
【００２７】
１０  収納ケース
１１  ケース本体
１３  開口
１２  引き出し
２５  ストッパ（第１の部材）
３３  前板
３５  舌片（第２の部材）
Ｓ  隙間
【図１】
2007136032.tif 000003
【図２】
2007136032.tif 000004
【図３】
2007136032.tif 000005
【図４】
2007136032.tif 000006
【図５】
2007136032.tif 000007
【図６】
2007136032.tif 000008
【図７】
2007136032.tif 000009